(57)【要約】【課題】複数の各系列の使用時間の均一化を図ることができ、各系列のろ布の交換を同時期に行える水処理設備の制御装置を提供することである。【解決手段】起動順判定部３２は、各系列のうち自己の系列のろ過器に工業用水が通水された通水時間が最も長いとき、通水時間が同じであるときは自己の系列の起動後または洗浄後からの経過時間が最も長いとき、経過時間が同じであるときは予め定めた順序で自己の系列が起動すべき順番になったと判定し、起動すべき順序となったときは、ろ過水製造制御部３５は自己の系列のろ過水の製造制御を定収時間になるまで行い、その後に、洗浄制御部３７は自己の系列の通水時間をリセットして自己のろ過器１９の洗浄制御を開始し、洗浄が完了すると洗浄後の経過時間を新たにカウント開始し、他の系列に自己の通水時間及び洗浄後の経過時間を送信する。【選択図】  図２
2013066848.tif 000002
【特許請求の範囲】
【請求項１】
原水である工業用水をろ過して得られたろ過水をろ過水タンクに貯蔵するろ過器と、前記ろ過水タンクに貯蔵されたろ過水を純水にする純水装置とを有した系列を複数備えた水処理設備を制御する水処理設備の制御装置において、
前記水処理設備の前記ろ過水を製造する工業用水処理装置を制御する前記系列毎に設けられた工業用水処理装置マスタは、
自己の系列のろ過器に工業用水を通水した通水時間が他の系列の通水時間よりも長いとき、
自己の系列の通水時間と他の系列の通水時間とが同じであるときは自己の系列の起動後または洗浄後からの経過時間が他の系列の経過時間よりも長いとき、
自己の系列の前記経過時間と他の系列の前記経過時間とが同じであるときは、予め定めた順序で自己の系列が起動すべき順番になったと判定する起動順判定部と、
前記起動順判定部で自己の系列が起動すべき順番になったと判定されたときは工業用水を自己の系列のろ過器に通水してろ過水の製造制御を開始するろ過水製造制御部と、
前記ろ過水製造制御部により自己の系列のろ過水製造制御が開始されたときは自己の系列のろ過器に工業用水が通水される通水時間を演算する通水時間演算部と、
前記ろ過器を洗浄制御する洗浄制御部と、
自己の系列の起動後や洗浄後からの経過時間及び自己の系列の通水時間を他の系列の起動順判定部に送信する送信部とを備え、
前記ろ過水製造制御部は、前記通水時間演算部で演算された自己の系列の通水時間が予め定めた定収時間となったときは自己の系列の運転を停止し、
前記洗浄制御部は、前記ろ過水製造制御部が自己の系列を運転停止したときは自己の系列の通水時間をリセットして前記ろ過器の洗浄制御を開始し、洗浄が完了すると洗浄後の経過時間を新たにカウント開始することを特徴とする水処理設備の制御装置。
【請求項２】
前記工業用水の濁度を監視する原水濁度監視装置と、前記定収時間を設定変更するための設定値変更部とを備えたことを特徴とする請求項１記載の水処理設備の制御装置。
【請求項３】
予め記憶した前記ろ過器のろ布の耐用時間から前記通水時間の積算値を減算して前記ろ過器のろ布の使用可能な残存時間を演算する残存時間演算部を設け、前記ろ過水製造制御部は、自己の系列の残存時間が他の系列の残存時間よりも長いときは、自己の系列の起動後または洗浄後からの経過時間が他の系列の経過時間より短くても、自己の系列を優先して起動することを特徴とする請求項１または２記載の水処理設備の制御装置。
【請求項４】
前記原水の濁度と前記ろ過器でろ過して得られたろ過水の濁度とから各系列の前記ろ過器のろ布の耐用時間を演算する耐用時間予測演算部を設け、前記残存時間演算部は、前記耐用時間予測演算部で予測演算された前記ろ過器のろ布の耐用時間を用いて前記ろ過器のろ布の使用可能な残存時間を演算することを特徴とする請求項３記載の水処理設備の制御装置。
【請求項５】
前記原水の濁度と前記ろ過器でろ過して得られたろ過水の濁度とから各系列の前記ろ過器のろ布の耐用時間を演算する耐用時間予測演算部と、前記耐用時間予測演算部で演算された前記ろ過器のろ布の耐用時間に基づいて前記定収時間を変更する定収時間変更部とを設けたことを特徴とする請求項１または２記載の水処理設備の制御装置。
【請求項６】
前記系列が起動される度に前記通水時間演算部で演算された通水時間を変数とした前記ろ過器でろ過して得られたろ過水の濁度カーブを作成する濁度カーブ作成部と、自己の系列の通水時間が前記濁度カーブ作成部で作成された濁度カーブでの予め定めた濁度になるまでの通水時間となったときは前記ろ過器の洗浄タイミングであると判定する洗浄タイミング判定部とを備え、
前記ろ過水製造制御部は、前記通水時間演算部で演算された通水時間が予め定めた定収時間となったときに代えて、前記洗浄タイミング判定部で判定された洗浄タイミングとなったときに自己の系列の運転を停止し、
前記洗浄制御部は、前記ろ過水製造制御部が自己の系列を運転停止したときは自己の系列の通水時間をリセットして前記ろ過器の洗浄制御を開始し、洗浄が完了すると洗浄後の経過時間を新たにカウント開始することを特徴とする請求項１記載の水処理設備の制御装置。
【発明の詳細な説明】
【技術分野】
【０００１】
本発明は、原水である工業用水を水処理して発電所で使用する所内用水や純水を得る水処理設備を制御する水処理設備の制御装置に関する。
【背景技術】
【０００２】
火力発電所や原子力発電所等の発電所では、工業用水が原水として供給され、工業用水を水処理設備で水処理して所内用水や純水を得るようにしている。例えば、ボイラに使用する水は純水を利用しており、純水は周辺地域から供給を受けた工業用水を水処理設備で純水に変換して使用する。
【０００３】
水処理設備は、工業用水をろ過器でろ過して得られたろ過水をろ過水タンクに貯蔵し、ろ過水タンクに貯蔵されたろ過水を純水装置で純水にする系列で構成され、通常、２系列を有している。すなわち、使用している系列と予備の系列を有し、使用している系列に異常が生じた場合などに、予備の系列に切り替えて使用できるようにしている。また系列の切り替えは、異常がなくても定期的に切り替え各系列の点検や修理をしたり、一つの系列に使用が偏らないように各系列の使用時間の均一化も図っている。
【０００４】
このように、２系列を交互に切り替えて利用することになるので、各系列の使用時間の均一化を容易に図ることができる。また、通水時間が所定時間に達したとき、もしくは通水量が所定量に達した時点で待機していた別系列に切り替えて、ろ過器のろ布の洗浄や純水装置の樹脂の再生工程に入るので、消耗材であるろ布や樹脂も均等に劣化し、定期的な交換インターバルを設定できる。なお、通水時間が所定時間になった系列は、ろ過器のろ布の洗浄や純水装置の樹脂の再生工程に入り、ろ布の洗浄後は通水時間はリセットされる。
【０００５】
ここで、水処理装置として、ろ過用カートリッジの交換時期を、積算流量や通水時間、経過時間などにより総合的に判断でき、どのような使用環境においても適正な交換時期をユーザに提示することができるようにしたものがある（例えば、特許文献１参照）。
【先行技術文献】
【特許文献】
【０００６】
【特許文献１】特開平７−２４８２４３号公報
【発明の概要】
【発明が解決しようとする課題】
【０００７】
しかし、２系列以上の系列を有した水処理設備では、各系列の使用時間の均一化が図れない場合がある。２系列の水処理設備の場合には、各系列の運転の優先順位の考え方がなく、運転中の系列の通水時間が所定時間に達したとき、もしくは通水量が所定量に達した時点で待機していた別系列に切り替えれば、容易に各系列の使用時間の均一化が図れたが、例えば、３系列の水処理設備の場合には、待機している系列が２系列のときは優先順位を決めておかないと、いずれかの系列に偏ってしまうおそれがある。
【０００８】
３系列の水処理設備とするのは、将来の水使用量を勘案して多くの純水を得られるようにするためである。常時、２系列で運転し１系列は予備の系列である場合には、通水時間が所定時間になった系列は予備の系列に切り替えられるので、各系列の使用時間の均一化が図れる。
【０００９】
現状では、水使用量がそれほど多くなく、３系列の水処理設備であっても、１系列の運転で純水の使用量を賄うこともあるので、１系列のみの運転で２系列が待機している状態がある。初期の設計では、水製造量が１系列の通水で賄える場合には、番号の若い順で系列を優先起動するようにしていた。従って、まず、No.１系列が優先的に起動し、No.１系列の通水時間が所定時間に達して停止すると、次にNo.２系列が起動する。そして、No.２系列の通水時間が所定時間に達して停止すると、停止中の系列はNo.１系列及びNo.３系列であるので、若番のNo.１系列が起動するロジックとなっていた。
【００１０】
そのため、No.１系列とNo.２系列は優先的に通水されるため、ろ過器のろ布の消耗が進むがNo.３系列のろ布は消耗しない。このことから、No.３系列の消耗品であるろ布の交換インターバルの予測ができず、まだ交換する必要が無い段階でも交換される可能性があり、そうするとコストが嵩む。一方、ろ布の交換インターバルをNo.３系列の交換インターバルに合わせるとNo.１系列とNo.２のろ布の消耗が進み、ろ過水の水質が悪くなるなど性能に悪影響を及ぼす。
【００１１】
本発明の目的は、複数の各系列の使用時間の均一化を図ることができ、各系列のろ布の交換を同時期に行える水処理設備の制御装置を提供することである。
【課題を解決するための手段】
【００１２】
請求項１の発明に係る水処理設備の制御装置は、原水である工業用水をろ過して得られたろ過水をろ過水タンクに貯蔵するろ過器と、前記ろ過水タンクに貯蔵されたろ過水を純水にする純水装置とを有した系列を複数備えた水処理設備を制御する水処理設備の制御装置において、前記水処理設備の前記ろ過水を製造する工業用水処理装置を制御する前記系列毎に設けられた工業用水処理装置マスタは、自己の系列のろ過器に工業用水を通水した通水時間が他の系列の通水時間よりも長いとき、自己の系列の通水時間と他の系列の通水時間とが同じであるときは自己の系列の起動後または洗浄後からの経過時間が他の系列の経過時間よりも長いとき、自己の系列の前記経過時間と他の系列の前記経過時間とが同じであるときは、予め定めた順序で自己の系列が起動すべき順番になったと判定する起動順判定部と、前記起動順判定部で自己の系列が起動すべき順番になったと判定されたときは工業用水を自己の系列のろ過器に通水してろ過水の製造制御を開始するろ過水製造制御部と、前記ろ過水製造制御部により自己の系列のろ過水製造制御が開始されたときは自己の系列のろ過器に工業用水が通水される通水時間を演算する通水時間演算部と、前記ろ過器を洗浄制御する洗浄制御部と、自己の系列の起動後や洗浄後からの経過時間及び自己の系列の通水時間を他の系列の起動順判定部に送信する送信部とを備え、前記ろ過水製造制御部は、前記通水時間演算部で演算された自己の系列の通水時間が予め定めた定収時間となったときは自己の系列の運転を停止し、前記洗浄制御部は、前記ろ過水製造制御部が自己の系列を運転停止したときは自己の系列の通水時間をリセットして前記ろ過器の洗浄制御を開始し、洗浄が完了すると洗浄後の経過時間を新たにカウント開始することを特徴とする。
【００１３】
請求項２の発明に係る水処理設備の制御装置は、請求項１の発明において、前記工業用水の濁度を監視する原水濁度監視装置と、前記定収時間を設定変更するための設定値変更部とを備えたことを特徴とする。
【００１４】
請求項３の発明に係る水処理設備の制御装置は、請求項１または２の発明において、予め記憶した前記ろ過器のろ布の耐用時間から前記通水時間の積算値を減算して前記ろ過器のろ布の使用可能な残存時間を演算する残存時間演算部を設け、前記ろ過水製造制御部は、自己の系列の残存時間が他の系列の残存時間よりも長いときは、自己の系列の起動後または洗浄後からの経過時間が他の系列の経過時間より短くても、自己の系列を優先して起動することを特徴とする。
【００１５】
請求項４の発明に係る水処理設備の制御装置は、請求項３の発明において、
前記原水の濁度と前記ろ過器でろ過して得られたろ過水の濁度とから各系列の前記ろ過器のろ布の耐用時間を演算する耐用時間予測演算部を設け、前記残存時間演算部は、前記耐用時間予測演算部で予測演算された前記ろ過器のろ布の耐用時間を用いて前記ろ過器のろ布の使用可能な残存時間を演算することを特徴とする。
【００１６】
請求項５の発明に係る水処理設備の制御装置は、請求項１または２の発明において、前記原水の濁度と前記ろ過器でろ過して得られたろ過水の濁度とから各系列の前記ろ過器のろ布の耐用時間を演算する耐用時間予測演算部と、前記耐用時間予測演算部で演算された前記ろ過器のろ布の耐用時間に基づいて前記定収時間を変更する定収時間変更部とを設けたことを特徴とする。
【００１７】
請求項６の発明に係る水処理設備の制御装置は、請求項１の発明において、前記系列が起動される度に前記通水時間演算部で演算された通水時間を変数とした前記ろ過器でろ過して得られたろ過水の濁度カーブを作成する濁度カーブ作成部と、自己の系列の通水時間が前記濁度カーブ作成部で作成された濁度カーブでの予め定めた濁度になるまでの通水時間となったときは前記ろ過器の洗浄タイミングであると判定する洗浄タイミング判定部とを備え、前記ろ過水製造制御部は、前記通水時間演算部で演算された通水時間が予め定めた定収時間となったときに代えて、前記洗浄タイミング判定部で判定された洗浄タイミングとなったときに自己の系列の運転を停止し、  前記洗浄制御部は、前記ろ過水製造制御部が自己の系列を運転停止したときは自己の系列の通水時間をリセットして前記ろ過器の洗浄制御を開始し、洗浄が完了すると洗浄後の経過時間を新たにカウント開始することを特徴とする。
【発明の効果】
【００１８】
請求項１の発明によれば、自己の系列を起動するとき、自己の系列の通水時間が他の系列の通水時間よりも長いとき、自己の系列の通水時間が他の系列の通水時間と同じであるときは自己の系列の起動後または洗浄後からの経過時間が他の系列の経過時間よりも長いとき、自己の系列の前記経過時間が他の系列の前記経過時間と同じであるときは、予め定めた順序で自己の系列を起動するので、３系列以上の場合であっても各系列の運転を均一化できる。
【００１９】
請求項２の発明によれば、工業用水の濁度に応じて定収時間を設定できるので、ろ過器のろ布の洗浄を工業用水の濁度に応じて行うことができる。
【００２０】
請求項３の発明によれば、ろ布の耐用時間から通水時間の積算値を減算してろ布の使用可能な残存時間を演算し、自己の系列の残存時間が他の系列の残存時間よりも長いときは、自己の系列の起動後または洗浄後からの経過時間が他の系列の経過時間より短くても、自己の系列を優先して起動するので、各系列のろ布の交換時期を同一時期にできる。
【００２１】
請求項４の発明によれば、ろ布の耐用時間を原水である工業用水の濁度とろ過器でろ過して得られたろ過水の濁度とから演算するので、ろ布の耐用時間をより精度良く得ることができる。
【００２２】
請求項５の発明によれば、ろ布の耐用時間を原水である工業用水の濁度とろ過器でろ過して得られたろ過水の濁度とから演算し、その演算したろ布の耐用時間に基づいて定収時間を変更するので、各系列のろ布の交換時期を同一時期にできる。
【００２３】
請求項６の発明によれば、系列が起動される度にろ過水の濁度カーブを作成し、自己の系列の通水時間が濁度カーブでの予め定めた濁度になるまでの通水時間となったときはろ過器の洗浄タイミングであると判定し、その洗浄タイミングで系列を洗浄するので、ろ過水の濁度を一定に保つことができる。
【図面の簡単な説明】
【００２４】
【図１】本発明の第１実施形態に係る水処理設備の制御装置を３系列の水処理設備に適用した一例を示す系統構成図。
【図２】本発明の第１実施形態に係る水処理設備の制御装置におけるNo.１マスタのNo.１工業用水処理装置マスタの一例を示す構成図。
【図３】本発明の第１実施形態における各系列の起動順判定部による系列の起動制御内容の一例を示すタイムチャート。
【図４】本発明の第１実施形態に係る水処理設備の制御装置におけるNo.１マスタのNo.１工業用水処理装置マスタの他の一例を示す構成図。
【図５】本発明の第２実施形態に係る水処理設備の制御装置を３系列の水処理設備に適用した一例を示す系統構成図。
【図６】本発明の第２実施形態に係る水処理設備の制御装置におけるNo.１マスタのNo.１工業用水処理装置マスタの一例を示す構成図。
【図７】本発明の第３実施形態に係る水処理設備の制御装置を３系列の水処理設備に適用した一例を示す系統構成図。
【図８】本発明の第３実施形態に係る水処理設備の制御装置におけるNo.１マスタのNo.１工業用水処理装置マスタの一例を示す構成図。
【図９】本発明の第４実施形態に係る水処理設備の制御装置におけるNo.１マスタのNo.１工業用水処理装置マスタの一例を示す構成図。
【図１０】本発明の第５実施形態に係る水処理設備の制御装置におけるNo.１マスタのNo.１工業用水処理装置マスタの一例を示す構成図。
【図１１】本発明の第５実施形態における濁度カーブ作成部で作成されるろ過水の濁度カーブの一例を示すグラフ。
【発明を実施するための形態】
【００２５】
以下、本発明の実施形態を説明する。図１は本発明の第１実施形態に係る水処理設備の制御装置を３系列の水処理設備に適用した一例を示す系統構成図である。水処理設備は、原水である工業用水を水処理して純水を得る設備である。周辺地域から供給を受けた工業用水は工業用水地下水槽１１に貯蔵され、工業用水地下水槽１１から３系列の水処理系列で純水に変換され、変換された純水は純水タンク１２に貯蔵される。
【００２６】
各系列の水処理系列は、工業用水処理装置１３、ろ過水装置１４、純水装置１５からなる。工業用水処理装置１３は、工業用水汲上ポンプ１６ａ〜１６ｃ、凝集反応槽１７ａ〜１７ｃ、工業用水ろ過器入口調節弁１８ａ〜１８ｃ、ろ過器１９ａ〜１９ｃからなり、ろ過水装置１４は、ろ過器１９ａ〜１９ｃで得られたろ過水を貯蔵するろ過水地下水槽２０、ろ過水汲上ポンプ２１ａ〜２１ｃ、ろ過水タンク２２からなり、純水装置１５は、純水装置送水ポンプ２３ａ〜２３ｃ、純水装置入口調節弁２４ａ〜２４ｃ、樹脂塔２５ａ、２５ｂ、２５ｃからなる。
【００２７】
いま、工業用水汲上ポンプ１６ａ〜樹脂塔２５ａの系列をNo.１系列、工業用水汲上ポンプ１６ｂ〜樹脂塔２５ｂの系列をNo.２系列、工業用水汲上ポンプ１６ｃ〜樹脂塔２５ｃの系列をNo.３系列とする。
【００２８】
工業用水汲上ポンプ１６ａ〜１６ｃは、工業用水地下水槽１１からの工業用水を工業用水ろ過器入口調節弁１８ａ〜１８ｃを介して凝集反応槽１７ａ〜１７ｃに供給するものである。
【００２９】
凝集反応槽１７ａ〜１７ｃは工業用水に含まれる有機物、無機物あるいは細菌やばい菌などを凝集剤の添加などで凝集し、ろ過器１９ａ〜１９ｃは凝集反応槽１７ａ〜１７ｃで凝集された凝集物をろ布で取り除き、ろ布でろ過されたろ過水をろ過水地下水槽２０に貯蔵する。ろ過水汲上ポンプ２１ａ〜２１ｃは、ろ過水地下水槽２０に貯蔵されたろ過水をろ過水タンク２２に貯蔵する。
【００３０】
ろ過水タンク２２に貯蔵されたろ過水は、純水装置送水ポンプ２３ａ〜２３ｃ及び純水装置入口調節弁２４ａ〜２４ｃを介して樹脂塔２５ａ〜２５ｃに導かれる。樹脂塔２５ａ〜２５ｃは、ろ過水タンク２２に貯蔵されたろ過水を樹脂を通して純水にし純水タンク１２に貯蔵する。純水タンクから１２は、図示省略の純水送水ポンプにより純水を必要とするユニットに導かれる。
【００３１】
水処理設備の各系列は、制御装置２６により制御される。制御装置２６は、No.１マスタ２７ａ〜No.３マスタ２７ｃ、ろ過水地下水槽マスタ２８を有する。そして、No.１マスタ２７ａはNo.１工業用水処理装置マスタ２９ａ及びNo.１純水装置マスタ３０ａを有し、No.２マスタ２７ｂはNo.２工業用水処理装置マスタ２９ｂ及びNo.２純水装置マスタ３０ｂを有し、No.３マスタ２７ｃはNo.３工業用水処理装置マスタ２９ｃ及びNo.３純水装置マスタ３０ｃを有する。
【００３２】
No.１マスタ２７ａのNo.１工業用水処理装置マスタ２９ａは、No.１系列の工業用水処理装置１３の工業用水汲上ポンプ１６ａや工業用水ろ過器入口調節弁１８ａを操作してNo.１系列の工業用水処理装置１３の制御を行うものである。No.１マスタ２７ａのNo.１純水装置マスタ３０ａは、No.１系列の純水装置１５の純水装置送水ポンプ２３ａや純水装置入口調節弁２４ａを操作してNo.１系列の純水装置１５の制御を行うものである。
【００３３】
No.２マスタ２７ｂのNo.２工業用水処理装置マスタ２９ｂは、No.２系列の工業用水処理装置１３の工業用水汲上ポンプ１６ｂや工業用水ろ過器入口調節弁１８ｂを操作してNo.２系列の工業用水処理装置１３の制御を行うものである。No.２マスタ２７ｂのNo.２純水装置マスタ３０ｂは、No.２系列の純水装置１５の純水装置送水ポンプ２３ｂや純水装置入口調節弁２４ｂを操作してNo.２系列の純水装置１５の制御を行うものである。
【００３４】
同様に、No.３マスタ２７ｃのNo.３工業用水処理装置マスタ２９ｃは、No.３系列の工業用水処理装置１３の工業用水汲上ポンプ１６ｃや工業用水ろ過器入口調節弁１８ｃを操作してNo.３系列の工業用水処理装置１３の制御を行うものである。No.３マスタ２７ｃのNo.３純水装置マスタ３０ｃは、No.３系列の純水装置１５の純水装置送水ポンプ２３ｃや純水装置入口調節弁２４ｃを操作してNo.３系列の純水装置１５の制御を行うものである。
【００３５】
また、No.１マスタ２７ａのNo.１工業用水処理装置マスタ２９ａ、No.２マスタ２７ｂのNo.２工業用水処理装置マスタ２９ｂ、No.３マスタ２７ｃのNo.３工業用水処理装置マスタ２９ｃには、ろ過水濁度計３１で検出されたろ過水濁度が入力され、各系列の運転制御に利用される。例えば、ろ過水濁度が所定値以上となるとすべての系列を停止するようにしている。これは、ろ過水濁度計３１で検出されたろ過水濁度が所定値以上となったときは、ろ過器１９ａ〜１９ｃをいくら動かしても無駄であるとの考えによるものである。
【００３６】
このろ過水濁度計３１は、各系列のろ過器１９ａ〜１９ｃでろ過したろ過水を合流させた配管ラインに設けられている。従って、ろ過水濁度計３１はろ過器１９ａ〜１９ｃのろ過水の濁度を個別に検出するのではなく、運転中の系列のろ過器１９でろ過し合流したろ過水の濁度を検出することになる。
【００３７】
ろ過水地下水槽マスタ２８は、ろ過水地下水槽２０からろ過水タンク２２にろ過水を送水制御するものである。ろ過水地下水槽２０の水位が送水開始水位以上となると、ろ過水汲上ポンプ２１ａ〜２１ｃを起動してろ過水タンクに送水し、ろ過水地下水槽２０の水位が送水停止水位以下となると、ろ過水汲上ポンプ２１ａ〜２１ｃを停止してろ過水タンクへの送水を停止するものである。また、ろ過水タンク２２の水位が所定水位以上となったときは、ろ過水汲上ポンプ２１ａ〜２１ｃを停止する。
【００３８】
次に、水処理設備の各系列の起動指令は、上位装置から制御装置２６のNo.１マスタ２７ａ〜No.３マスタ２７ｃのNo.１工業用水処理装置マスタ２９ａ〜No.３工業用水処理装置マスタ２９ｃに入力される。No.１マスタ２７ａ〜No.３マスタ２７ｃは、同一構成であるので、以下の説明では、No.１系列のNo.１マスタ２７ａの動作について説明する。  
図２は、本発明の第１実施形態に係る水処理設備の制御装置におけるNo.１マスタ２７ａのNo.１工業用水処理装置マスタ２９ａの一例を示す構成図である。いま、上位装置からの起動指令はNo.１系列〜No.３系列のうちの１系列のみの起動指令であるとし、No.１系列〜No.３系列の起動順序はNo.１系列が１番目であるとする。
【００３９】
図２に示すように、上位装置からの起動指令は、No.１の工業用水処理装置マスタ２９ａの起動順判定部３２及び起動順判定時間記憶部３４に入力される。起動順判定時間記憶部３４は起動指令を入力すると、起動指令からの経過時間をカウントしその経過時間を記憶する。また、後述のろ過器１９ａを洗浄制御する洗浄制御部３７の洗浄後からの経過時間をカウントし、その経過時間を記憶する。なお、起動指令からの経過時間は、ろ過水製造制御部３５が自己の系列（No.１系列）のろ過水の製造制御を開始したときはリセットされる。
【００４０】
起動順判定部３２は、No.１系列〜No.３系列のうちの自己の系列（No.１系列）が起動の順番になったことを判定するものである。その起動の順番になったことの判定は、起動指令による起動すべき系列の数、自己の系列（No.１系列）のろ過器１９ａに工業用水が通水された通水時間、他の系列（No.２、３系列）のろ過器１９ｂ、１９ｃに工業用水が通水された通水時間、自己の系列（No.１系列）の起動後または洗浄後からの経過時間、他の系列（No.１、２系列）の起動後または洗浄後からの経過時間に基づいて、自己の系列（No.１系列）が起動すべき順番になったか否かで判定する。
【００４１】
すなわち、起動順判定部３２は、自己の系列（No.１系列）のろ過器１９ａに工業用水が通水された通水時間を通水時間記憶部３３から入力するとともに、自己の系列（No.１系列）の起動後または洗浄後からの経過時間を起動順判定時間記憶部３４から入力する。
【００４２】
また、他の系列（No.２系列、No.３系列）のNo.２工業用水処理装置マスタ２９ｂ、No.３工業用水処理装置マスタ２９ｃから、ろ過器１９ｂ、１９ｃに工業用水が通水された通水時間、No.２系列、No.３系列の起動後または洗浄後からの経過時間を入力する。さらに、他の系列が（No.２系列、No.３系列）運転中か停止中かの情報も入力する。
【００４３】
そして、例えば、各系列（No.１系列〜No.３系列）のろ過器１９ａ〜１９ｃに工業用水が通水された通水時間が長い順で起動するようにする。起動指令が１系列のみのときは通水時間が最も長い系列が起動される。起動指令が２系列のときは、通水時間が最も長い系列及びその次に通水時間が長い系列が起動される。そして、通水時間が同じである場合には、各系列（No.１系列〜No.３系列）の起動後または洗浄後からの経過時間が長い順に起動するようにする。さらに、起動後または洗浄後からの経過時間も同じである場合には若番を起動するようにする。
【００４４】
ろ過水製造制御部３５は、起動順判定部３２で自己の系列が起動すべき順番になったと判定されたときは、工業用水を自己の系列（No.１系列）のろ過器１９ａに通水してろ過水の製造制御を開始する。すなわち、No.１系列の工業用水処理装置１３の工業用水汲上ポンプ１６ａ及び工業用水ろ過器入口調節弁１８ａを操作して、No.１系列の工業用水処理装置１３のろ過器１９ａに通水してろ過水の製造制御を行う。
【００４５】
通水時間演算部３６は、ろ過水製造制御部３５により自己の系列（No.１系列）のろ過水製造制御が開始されたときは、自己の系列（No.１系列）のろ過器１９ａに工業用水が通水される通水時間を演算開始し、その通水時間を通水時間記憶部３３に記憶する。
【００４６】
ここで、ろ過水製造制御部３５は、通水時間演算部３６で演算され通水時間記憶部３３に記憶された自己の系列（No.１系列）の通水時間と定収時間設定部３８に予め設定された定収時間とを比較し、自己の系列（No.１系列）の通水時間が予め定めた定収時間となったときは、自己の系列（No.１系列）の運転を停止し、洗浄制御部３７を起動して、ろ過器１９ａを洗浄制御を開始する。この場合、通水時間記憶部３３に記憶された自己の系列（No.１系列）の通水時間をリセットする。また、洗浄制御部３７は、洗浄が完了すると洗浄後の経過時間を新たにカウント開始し、記憶順判定時間記憶部３４に記憶する。
【００４７】
一方、ろ過水濁度計３１で検出されたろ過水の濁度は濁度判定部３９に入力され、濁度判定部３９は、ろ過水濁度計３１で検出されたろ過水の濁度が所定値以上となったか否かを判定し、その判定結果をろ過水製造制御部３５に入力する。ろ過水製造制御部３５は、濁度判定部３９にて、ろ過水濁度計３１で検出されたろ過水の濁度が所定値以上となったと判定されたときは、自己の系列（No.１系列）の運転を停止する。この場合は、ろ過水製造制御部３５は洗浄制御部３７を起動しない。つまり、ろ過器１９ａの洗浄は行わない。これは、前述したように、ろ過水濁度計３１で検出されたろ過水濁度が所定値以上となったときは、ろ過器１９ａ〜１９ｃをいくら動かしても無駄であるとの考えによるものである。
【００４８】
また、送信部４０は、ろ過水製造制御部３５の制御状態｛自己の系列（No.１系列）が運転中か停止中かの状態｝、起動順判定時間記憶部３４に記憶された自己の系列（No.１系列）の起動後からの経過時間、洗浄後からの経過時間、及び通水時間記憶部３３に記憶された自己の系列（No.１系列）の通水時間を、他の系列のNo.２工業用水処理装置マスタ２９ｂ、No.３工業用水処理装置マスタ２９ｃに送信する。
【００４９】
他の系列のNo.２工業用水処理装置マスタ２９ｂ、No.３工業用水処理装置マスタ２９ｃでは、これら自己以外の他の系列の制御状態、起動後からの経過時間、洗浄後からの経過時間や通水時間を起動順判定部３２で受信する。
【００５０】
これにより、No.２工業用水処理装置マスタ２９ｂ、No.３工業用水処理装置マスタ２９ｃでは、No.１系列が停止した場合、自己の系列が停止中であるときは、他の系列からの経過時間や通水時間に基づき、自己の系列の起動すべき順番になったことを起動順判定部３２で判定し、自己の系列の起動すべき順番になったときは自己の系列を起動する。
【００５１】
図３は各系列の起動順判定部３２による系列の起動制御内容の一例を示すタイムチャートであり、図３（ａ）は一つの系列のみの運転の場合のタイムチャート、図３（ｂ）は一つの系列で運転中に一旦すべての系列の運転を停止しその後に一つの系列の運転を行いさらに二つの系列の運転を行う場合のタイムチャートである。
【００５２】
図３（ａ）に示すように、いま、時点ｔ１で上位装置から一つの系列のみの起動指令があり、No.１系列〜No.３系列の起動順序はNo.１系列が１番目であるとする。
【００５３】
時点ｔ１より上位装置の指令による起動後の経過時間がカウント開始され、起動順判定時間記憶部３４に記憶される。また、ろ過水製造制御部３５により時点ｔ１でNO.１系列の運転が開始され、通水時間演算部３６によりNO.１系列の通水時間が演算され、通水時間記憶部３３に記憶される。No.１系列は時点ｔ１で、ろ過水製造制御部３５により運転が開始されるので、起動後の経過時間はリセットされる。一方、No.２、３系列は時点ｔ１では停止中であるので、起動後の経過時間Tb1、Tc1がカウント開始される。
【００５４】
そして、NO.１系列の通水時間が時点ｔ２で予め定めた定収時間TAとなると、ろ過水製造制御部３５はNO.１系列を停止し、洗浄制御部３７による洗浄工程に入る。この場合、時点ｔ２でNO.１系列の通水時間は零リセットされる。
【００５５】
時点ｔ２でNO.１系列が停止したことに伴い、No.１、２、３系列の起動順判定部３２は、自己の系列（NO.１、２、３系列）を起動するにあたり、自己の系列（NO.１、２、３系列）の通水時間と他の系列の通水時間とを比較する。
【００５６】
時点ｔ２においては、NO.１、２、３系列の通水時間は、いずれも零で同じであるので、次に、上位装置の指令による起動後からの経過時間を比較する。時点ｔ２においては、NO.１系列の上位装置の指令による起動後からの経過時間は、時点ｔ１でリセットされていることから零であり、停止中のNO.２系列の起動後からの経過時間Tb1と、NO.３系列の起動後からの経過時間Tc1とが同じである。
【００５７】
そこで、時点ｔ２では、NO.２、３系列のいずれを起動するかは、予め定めた順序で起動することになる。例えば、若番の順序で起動する。NO.２系列とNO.３系列とではNO.２系列が若番となるのでNO.２系列を起動することになる。従って、NO.２系列のろ過水製造制御部３５は、時点ｔ２でNO.２系列のろ過水製造の制御を開始し、NO.２系列の通水時間演算部３６によりNO.２系列の通水時間が演算される。この場合、時点ｔ２でNO.１系列の通水時間は零リセットされる。
【００５８】
次に、時点ｔ３でNO.１系列の洗浄が完了すると、NO.１系列の洗浄後からの経過時間Ta1がカウントされ始める。そして、NO.２系列の通水時間が時点ｔ４で予め定めた定収時間TBとなると、NO.２系列は停止し洗浄工程に入る。この場合、NO.２系列の通水時間は時点ｔ４で零リセットされる。
【００５９】
時点ｔ４でNO.２系列が停止したことに伴い、No.１、２、３系列の起動順判定部３２は、自己の系列（NO.１、２、３系列）を起動するにあたり、自己の系列（NO.１、３系列）の通水時間と他の系列の通水時間とを比較する。
【００６０】
時点ｔ４においては、NO.１、２、３系列の通水時間は、いずれも零で同じであるので、次に、上位装置の指令による起動後または洗浄後からの経過時間を比較する。
【００６１】
NO.１系列の起動後からの経過時間は時点ｔ１でリセットされていることから零であるが、NO.１系列は時点ｔ３で洗浄が完了していることから洗浄後からの経過時間はTa1である。一方、NO.２系列の起動後からの経過時間は、時点ｔ２でリセットされていることから零であり、NO.３系列の起動後からの経過時間はTc２であり、NO.３系列の起動後からの経過時間Tc２が最も長い。そこで、NO.３系列を起動することになる。
【００６２】
従って、NO.３系列のろ過水製造制御部３５は、時点ｔ４でNO.３系列のろ過水製造の制御を開始し、NO.３系列の通水時間演算部３６によりNO.３系列の通水時間が演算される。この場合、時点ｔ４でNO.２系列の通水時間は零リセットされる。
【００６３】
次に、時点ｔ５でNO.２系列の洗浄が完了すると、NO.２系列の洗浄後からの経過時間Tｂ2がカウントされ始める。そして、NO.３系列の通水時間が時点ｔ６で予め定めた定収時間TCとなると、NO.３系列は停止し洗浄工程に入る。この場合、NO.３系列の通水時間は時点ｔ６で零リセットされる。
【００６４】
時点ｔ６でNO.３系列が停止したことに伴い、No.１、２、３系列の起動順判定部３２は、自己の系列（NO.１、２、３系列）を起動するにあたり、自己の系列（NO.１、２、３系列）の通水時間と他の系列の通水時間とを比較する。
【００６５】
時点ｔ６においては、NO.１、２、３系列の通水時間は、いずれも零で同じであるので、次に、上位装置の指令による起動後または洗浄後からの経過時間を比較する。時点ｔ６においては、NO.１系列の洗浄後からの経過時間はTa2であり、NO.２系列の洗浄後からの経過時間はTb2であり、NO.３系列の洗浄後からの経過時間は零である。NO.１系列の洗浄後からの経過時間Ta2が最も長いので、NO.１系列を起動することになる。
【００６６】
従って、NO.１系列のろ過水製造制御部３５は、時点ｔ６でNO.１系列のろ過水製造の制御を開始し、NO.１系列の通水時間演算部３６によりNO.１系列の通水時間が演算される。この場合、時点ｔ６でNO.３系列の通水時間は零リセットされる。
【００６７】
以下、同様に、三つの系列のいずれかを起動するときは、通水時間が長い系列を優先して起動し、通水時間が同じであるときは上位装置の指令による起動後または洗浄後からの経過時間が長い系列を優先して起動し、さらに、その経過時間も同じであるときは予め定めた順序で起動する。これにより、一つの系列のみの運転の場合は、NO.１系列、NO.２系列、NO.３系列は順番に起動されるので、運転時間の均一化が図れる。
【００６８】
次に、図３（ｂ）に示すように、いま、時点ｔ１で上位装置から一つの系列の起動指令があり、No.１系列〜No.３系列の起動順序はNo.１系列が１番目であるとする。
【００６９】
図３（ａ）の場合と同様に、時点ｔ１でNO.１系列の運転が開始され、停止中のNO.２、３系列について、上位装置の指令による起動後の経過時間がカウントされ始める。そして、NO.１系列の通水時間が時点ｔ２で予め定めた定収時間TAとなると、NO.１系列は停止し洗浄工程に入る。この場合、NO.１系列の通水時間は零リセットされる。
【００７０】
時点ｔ２でNO.１系列が停止したことに伴い、No.１、２、３系列の起動順判定部３２は、自己の系列（NO.１、２、３系列）を起動するにあたり、自己の系列（NO.１、２、３系列）の通水時間と他の系列の通水時間とを比較する。
【００７１】
時点ｔ２においては、NO.１、２、３系列の通水時間は、いずれも零で同じであるので、次に、上位装置の指令による起動後または洗浄後からの経過時間を比較する。
【００７２】
時点ｔ２においては、NO.２系列の起動後からの経過時間は零であり、NO.２系列の起動後からの経過時間Tb1とNO.３系列の起動後からの経過時間Tc1とは同じである。
【００７３】
そこで、時点ｔ２では、NO.２、３系列のいずれを起動するかは、予め定めた順序で起動することになり、例えば、若番の順序で起動する。NO.２系列とNO.３系列とではNO.２系列が若番となるのでNO.２系列を起動する。
【００７４】
次に、時点ｔ３でNO.１系列の洗浄が完了すると、NO.１系列の洗浄後からの経過時間がカウントされ始める。そして、時点ｔ４ですべての系列の運転が停止されたとする。例えば、ろ過水濁度計３１で検出されたろ過水濁度が所定値以上となったときは、すべての系列が停止される。また、ろ過水タンク２２や純水タンク１２の貯蔵水量が規定値以上となったときはすべての系列が停止される。
【００７５】
すべての系列が一旦停止した後の時点ｔ５において水処理設備を起動するにあたって、No.１、２、３系列の起動順判定部３２は、停止中のNO.１、２、３系列の各々の通水時間を比較する。NO.２系列の通水時間は時点ｔ２から時点ｔ４までの通水時間Tb2である。一方、NO.１、３系列の通水時間はいずれも零で同じである。従って、通水時間の長いNO.２系列を時点ｔ５で起動する。そして、NO.２系列の通水時間（Tb2+Tb3）が時点ｔ６で予め定めた定収時間TBとなると、NO.２系列は停止し洗浄工程に入る。この場合、NO.２系列の通水時間は零リセットされる。
【００７６】
No.１、２、３系列の起動順判定部３２は、自己の系列（NO.１、２、３系列）を起動するにあたり、自己の系列（NO.１、３系列）の通水時間と他の系列の通水時間とを比較する。時点ｔ６においては、NO.１、２、３系列の通水時間はいずれも零で同じであるので、次に、上位装置の指令による起動後または洗浄後からの起動時間とを比較する。
【００７７】
時点ｔ６においては、NO.１系列の洗浄後からの経過時間はTa1であり、NO.２系列の洗浄後からの経過時間は零であり、NO.３系列の洗浄後からの経過時間Tc2である。NO.３系列の洗浄後からの経過時間Tc2が最も長いので、NO.３系列を起動することになる。
【００７８】
次に、時点ｔ７でNO.２系列の洗浄が完了すると、NO.２系列の洗浄後からの経過時間がカウントされ始める。そして、時点ｔ８で、一つの系列の運転からさらに二つの系列の運転を行う必要が生じたとすると、No.１、２、３系列の起動順判定部３２は、自己の系列（NO.１、２、３系列）を起動する順序を判定することになるが、NO.３系列は運転を継続した状態であるので、No.１、２系列の起動順判定部３２が自己の系列（NO.１、２系列）を起動する順序を判定することになる。
【００７９】
No.１、２系列の起動順判定部３２は、その際に、既に運転継続中のNO.３系列の通水時間を除外して、NO.１、２系列の通水時間を比較する。時点ｔ８においては、NO.１、２系列の通水時間は、いずれも零で同じであるので、次に、洗浄後からの経過時間を比較する。時点ｔ８では、NO.１系列の洗浄後からの経過時間Ta2の方がNO.２系列の洗浄後からの経過時間Tb4より長いのでNO.１系列が起動される。
【００８０】
そして、NO.３系列の通水時間が時点ｔ９で予め定めた定収時間TCとなると、NO.３系列は停止し洗浄工程に入る。この場合、NO.３系列の通水時間は零リセットされる。
【００８１】
No.１、２、３系列の起動順判定部３２は、NO.３系列の停止に伴い、自己の系列（No.１、２、３系列）を起動する順序を判定することになるが、この場合は、NO.１系列は運転を継続した状態であるので、No.２、３系列の起動順判定部３２が自己の系列（NO.１、２系列）を起動する順序を判定することになる。
【００８２】
No.２、３系列の起動順判定部３２は、その際に、既に運転継続中のNO.１系列の通水時間を除外して、NO.２、３系列の通水時間を比較する。時点ｔ９においては、NO.２、３系列の通水時間は、いずれも零で同じであるので、次に、洗浄後からの経過時間を比較する。時点ｔ９では、NO.２系列の洗浄後からの経過時間はTb5であり、NO.３系列の洗浄後からの経過時間は零であるので、NO.２系列の洗浄後からの経過時間Tb5の方がNO.３系列の洗浄後からの経過時間より長い。従って、NO.２系列を起動する。
【００８３】
以下、同様に、停止中の系列を起動するときは、通水時間が長い系列を優先して起動し、通水時間が同じであるときは上位装置の指令による起動後または洗浄後からの経過時間が長い系列を優先して起動し、さらに、その経過時間も同じであるときは予め定めた順序で起動する。
【００８４】
これにより、運転中の途中ですべての系列が停止した場合であっても、通水時間が定収時間となるまでの運転が行われ、また、一つの系列のみの運転の場合だけでなく二つの系列の運転の場合であっても、NO.１系列、NO.２系列、NO.３系列は順番に起動されるので、運転時間の均一化が図れる。従って、ろ過器１９ａ〜１９ｃのろ布の交換時期を同一時期にすることができるようになる。
【００８５】
図４は、本発明の第１実施形態に係る水処理設備の制御装置におけるNo.１マスタのNo.１工業用水処理装置マスタの他の一例を示す構成図である。この他の一例は、図２に示した一例に対し、制御装置２６内には、ろ過器１９ａ〜１９ｃのろ布の使用可能な残存時間を演算する残存時間演算部４１を設け、さらに、ろ布の使用可能な残存時間を予め記憶しておく耐用時間記憶部４２、及び残存時間演算部４１で演算したろ布の使用可能な残存時間を記憶する残存時間記憶部４３を追加して設けたものである。
【００８６】
耐用時間記憶部４２には、ろ布の耐用時間が予め記憶されている。耐用時間記憶部４２に記憶したろ布の耐用時間は、例えば、メーカ推奨値あるいは過去の実績値などである。残存時間演算部４１は、耐用時間記憶部４２に記憶したろ布の耐用時間から各系列の通水時間の積算値を減算してろ布の使用可能な残存時間を演算し、演算結果の残存時間を残存時間記憶部４３に記憶する。
【００８７】
起動順判定部３２は、自己の系列の起動の順序を判定するにあたり、まず、自己の系列が停止中の系列のうち通水時間が最も長い系列であるかどうかを判定する。通水時間が同じであるときは、残存時間記憶部４３に記憶されたろ布の使用可能な残存時間を参照し、残存時間が最も長い系列であるかどうかを判定する。そして、残存時間も同じであるときは、自己の系列の起動後または洗浄後からの経過時間が最も長いかどうかを判定する。つまり、自己の系列の残存時間が他の系列の残存時間よりも長いときは、自己の系列の起動後または洗浄後からの経過時間が他の系列の経過時間より短くても、自己の系列を優先して起動する。
【００８８】
これにより、ろ過水製造制御の途中で停止している系列を優先して起動できるとともに、各系列のろ布の交換時期を同一時期にできる。この場合、同じ系列が連続して起動されることを防止するために、残存時間が長い系列の起動は２回連続までは許容するが、３回連続となる場合は起動を阻止するようにしてもよい。これにより、各系列の運転が均一化される。また、残存時間記憶部４３の内容を取り出し、図示省略の表示装置に表示出力できるようにすると、運転員は各系列のろ布の交換時期を容易に把握できる。
【００８９】
次に、本発明の第２実施形態を説明する。図５は本発明の第２実施形態に係る水処理設備の制御装置を３系列の水処理設備に適用した一例を示す系統構成図、図６は本発明の第２実施形態に係る水処理設備の制御装置を３系列の水処理設備に適用した一例を示す系統構成図である。
【００９０】
この第２実施形態は、図１及び図２に示した第１実施形態に対し、原水である工業用水の濁度を検出する原水濁度計４４で検出された工業用水の濁度を監視する原水濁度監視装置４５と、制御装置２６の定収時間設定部３８に設定された各系列の定収時間を設定変更するための設定値変更部４６とを追加して設けたものである。図１及び図２と同一要素には同一符号を付し重複する説明は省略する。
【００９１】
工業用水の濁度は季節や天候によって変動するので、原水濁度監視装置４５により原水濁度計４４で検出された工業用水の濁度を監視する。例えば、台風や大雨のときや降雨量の少ない時期には、工業用水の濁度が大きくなるので、ろ布は早めに洗浄することが望ましい。
【００９２】
そこで、運転員は原水濁度監視装置４５により工業用水の濁度を監視し、工業用水の濁度が大きくなったときは、設定値変更部４６により制御装置２６の定収時間設定部３８に設定された各系列の定収時間を設定変更する。
【００９３】
このように、ろ布の洗浄までの定収時間を手入力で変更できるので、工業用水の濁度の変動に応じて、ろ布の洗浄を適切に行うことができる。これにより、ろ布の消耗の早い系列は短時間で洗浄に切り替えるように運用できるので、ろ布の消耗が均等になるように各系列の運転を調整できる。
【００９４】
次に、本発明の第３実施形態を説明する。図７は本発明の第３実施形態に係る水処理設備の制御装置を３系列の水処理設備に適用した一例を示す系統構成図、図８は本発明の第３実施形態に係る水処理設備の制御装置を３系列の水処理設備に適用した一例を示す系統構成図である。
【００９５】
この第３実施形態は、図１及び図４に示した第１実施形態に対し、工業用水の濁度を検出する原水濁度計４４で検出された工業用水の濁度を制御装置２６に入力し、制御装置２６には、原水である工業用水の濁度とろ過器１９ａ〜１９ｃでろ過して得られたろ過水の濁度とから各系列のろ過器１９ａ〜１９ｃのろ布の耐用時間を予測演算する耐用時間予測演算部４７を追加して設けたものである。図１及び図４と同一要素には同一符号を付し重複する説明は省略する。
【００９６】
原水濁度計４４で検出された工業用水の濁度と、ろ過水濁度計３１で検出されたろ過水の濁度とは、図８に示すように、制御装置２６の各々のマスタ２７の耐用時間予測演算部４７に入力される。耐用時間予測演算部４７は、工業用水の濁度とろ過水の濁度とから、起動順判定部３２により運転中の系列のろ過器１９ａ〜１９ｃのろ布の消耗度合いを予測演算する。そして、予測演算されたろ布の消耗度合いからろ布の耐用時間を予測演算する。例えば、工業用水の濁度とろ過水濁度との濁度差が大きい場合には、ろ布の消耗度合いが大きくなるので耐用時間は短くなる。逆に、工業用水の濁度とろ過水濁度との濁度差が小さい場合には、ろ布の消耗度合いが小さくなるので耐用時間は長くなる。耐用時間予測演算部４７で予測演算された耐用時間は、耐用時間記憶部４２に記憶される。
【００９７】
残存時間演算部４１は、耐用時間予測演算部４７で予測演算され耐用時間記憶部４２に記憶されたろ布の耐用時間を用いて、ろ過器１９ａ〜１９ｃのろ布の使用可能な残存時間を演算し残存時間記憶部４３に記憶する。前述したように、図示省略の表示装置に、残存時間記憶部４３の内容を表示出力できるようにすると、運転員は各系列のろ布の交換時期を容易に把握できる。
【００９８】
このように、工業用水の濁度とろ過水の濁度とからろ布の耐用時間を予測演算するので、原水である工業用水の状態に合わせて、より適切なろ布の耐用時間を得ることができる。メーカ推奨のろ布の耐用時間は、安全を見込んで設定されている場合が多いので、耐用時間に達しても交換が必要な状態に達しているとは限らない場合が多く、早めの交換が行われる場合が多かったが、第３実施形態では交換時期を適切にできる。
【００９９】
次に、本発明の第４実施形態を説明する。図９は本発明の第４実施形態に係る水処理設備の制御装置におけるNo.１マスタのNo.１工業用水処理装置マスタの一例を示す構成図である。この第４実施形態は、図８に示した第３実施形態に対し、残存時間演算部４１及び残存時間記憶部４３に代えて、耐用時間予測演算部４７で演算され耐用時間記憶部４２に記憶されたろ布の耐用時間に基づいて定収時間を変更する定収時間変更部４８を追加して設けたものである。図８と同一要素には同一符号を付し重複する説明は省略する。
【０１００】
耐用時間予測演算部４７は、図８に示した第３実施形態の場合と同様に、原水である工業用水の濁度とろ過水の濁度とから各系列のろ布の耐用時間を演算する。定収時間変更部４８は、耐用時間予測演算部４７で演算され耐用時間記憶部４２に記憶されたろ布の耐用時間に基づいて、ろ布の耐用時間に見合った定収時間を演算する。例えば、ろ布の耐用時間が長い系列については長い定収時間を演算し、ろ布の耐用時間が短い系列については短い定収時間を演算する。そして、定収時間変更部４８は、演算した定収時間を定収時間設定部３８に設定する。
【０１０１】
これにより、各系列の運転インターバルは各系列のろ布の耐用時間に応じて自動的に変更されるので、各系列のろ布の交換時期が同一時期にできる。
【０１０２】
次に、本発明の第５実施形態を説明する。図１０は本発明の第５実施形態に係る水処理設備の制御装置におけるNo.１マスタのNo.１工業用水処理装置マスタの一例を示す構成図である。この第５実施形態は、図２に示した第１実施形態に対し、定収時間設定部３８に代えて、系列が起動される度に通水時間演算部３６で演算された通水時間を変数としたろ過水の濁度カーブを作成し濁度カーブ記憶部４９に記憶する濁度カーブ作成部５０と、通水時間演算部３６で演算された自己の系列の通水時間が、濁度カーブ作成部５０で作成された濁度カーブでの予め定めた濁度になるまでの通水時間となったときは、ろ過器１９の洗浄タイミングであると判定する洗浄タイミング判定部５１とを設け、ろ過水製造制御部３５は、洗浄タイミング判定部５１で判定された洗浄タイミングとなったときに、自己の系列の運転を停止する。洗浄制御部３７は、ろ過水製造制御部３５が自己の系列を運転停止したときは、自己の系列の通水時間をリセットしてろ過器１９の洗浄制御を開始し、洗浄が完了すると洗浄後の経過時間を新たにカウント開始するようにしたものである。図２と同一要素には同一符号を付し重複する説明は省略する。
【０１０３】
濁度カーブ作成部５０は、ろ過水濁度計３１で検出されたろ過水濁度及び通水時間演算部３６で演算された通水時間を入力し、系列が起動される度に通水時間演算部３６で演算された通水時間を変数としたろ過水の濁度カーブを作成する。図１１は、濁度カーブ作成部５０で作成されるろ過水の濁度カーブの一例を示すグラフである。ろ布が新しい場合には、ろ過水濁度カーブＳ１に示すように、ろ過水濁度が予め定めた濁度Ｄ０になる時点ｔ１までの通水時間が長い。ろ布の使用回数が増えると、徐々に、ろ過水濁度カーブＳ２、Ｓ３に示すように、ろ過水濁度が予め定めた濁度Ｄ０になる時点ｔ２、ｔ３までの通水時間が短くなる。
【０１０４】
洗浄タイミング判定部４１は、濁度カーブ作成部５０で得られた濁度カーブＳが予め定めた濁度Ｄ０を超えたとき、ろ過器１９ａ〜１９ｃの洗浄タイミングであると判定する。洗浄制御部３７は、洗浄タイミング判定部５１で判定された洗浄タイミングで系列を洗浄する。従って、ろ布が使用により消耗したとしても、ろ過水濁度を予め定めた濁度Ｄ０以下に保持できる。また、濁度カーブ記憶部４９に記憶されたろ過水濁度カーブＳを図示省略の表示装置に表示できるようにすると、運転員は各系列のろ布の交換時期を容易に把握できる。
【符号の説明】
【０１０５】
１１…工業用水地下水槽、１２…純水タンク、１３…工業用水処理装置、１４…ろ過水装置、１５…純水装置、１６…工業用水汲上ポンプ、１７…凝集反応槽、１８…工業用水ろ過器入口調節弁、１９…ろ過器、２０…ろ過水地下水槽、２１…ろ過水汲上ポンプ、２２…ろ過水タンク、２３…純水装置送水ポンプ、２４…純水装置入口調節弁、２５…樹脂塔、２６…制御装置、２７…マスタ、２８…ろ過水地下水槽マスタ、２９…工業用水処理装置マスタ、３０…純水装置マスタ、３１…濁度計、３２…起動順判定部、３３…通水時間記憶部、３４…起動順判定時間記憶部、３５…ろ過水製造制御部、３６…通水時間演算部、３７…洗浄制御部、３８…定収時間設定部、３９…濁度判定部、４０…送信部、４１…残存時間演算部、４２…耐用時間記憶部、４３…残存時間記憶部、４４…原水濁度計、４５…原水濁度監視装置、４６…設定値変更部、４７…耐用時間予測演算部、４８…定収時間変更部、４９…濁度カーブ記憶部、５０…濁度カーブ作成部、５１…洗浄タイミング判定部
【図１】
2013066848.tif 000003
【図２】
2013066848.tif 000004
【図３】
2013066848.tif 000005
【図４】
2013066848.tif 000006
【図５】
2013066848.tif 000007
【図６】
2013066848.tif 000008
【図７】
2013066848.tif 000009
【図８】
2013066848.tif 000010
【図９】
2013066848.tif 000011
【図１０】
2013066848.tif 000012
【図１１】
2013066848.tif 000013